(57)【要約】【課題】使い易く、使用時に上部から負荷がかかってもその形状を維持し易い簡易トイレを提供すること。【解決手段】平面視星型多角形状（但し、該多角形は五角形以上である）の台座部と、前記台座部の上に配置され、中央に開口部を有する便座部とを備える。【選択図】図１
2020043889.tif 000002
【特許請求の範囲】
【請求項１】
平面視星型多角形状（但し、該多角形は五角形以上である）の台座部と、
前記台座部の上に配置され、中央に開口部を有する便座部と
を備えることを特徴とする簡易トイレ。
【請求項２】
前記便座部が、平面視略円形であることを特徴とする請求項１に記載の簡易トイレ。
【請求項３】
前記便座部の裏面には、前記台座部の上端部と嵌合する平面視星型多角形状の便座溝が形成されていることを特徴とする請求項１または２に記載の簡易トイレ。
【請求項４】
前記台座部が載置され、上面に基底溝を有する基底部を備え、
前記台座部は、下端部を前記基底溝に嵌合させて前記基底部上に立設されることを特徴とする請求項１〜３の何れか一項に記載の簡易トイレ。
【請求項５】
前記便座部および前記基底部には、折り目が形成され、
前記便座部および前記基底部は、前記折り目に沿って折り畳み可能であることを特徴とする請求項４に記載の簡易トイレ。
【請求項６】
前記台座部は、折曲線で所定の角度に折り曲げられた複数の折板を組み合わせて形成されることを特徴とする請求項１〜５の何れか一項に記載の簡易トイレ。
【請求項７】
前記折板は、前記折曲線を折ることによって折り畳み可能であることを特徴とする請求項６に記載の簡易トイレ。
【請求項８】
前記便座部に形成された前記開口部の縁部は、面取りされていることを特徴とする請求項１〜７の何れか一項に記載の簡易トイレ。
【請求項９】
前記便座部を折り畳む際の前記折り目は、面取りされていることを特徴とする請求項５〜８の何れか一項に記載の簡易トイレ。
【請求項１０】
前記便座部、前記台座部、および前記基底部それぞれを折り畳んだ状態が、平面視略長方形状であることを特徴とする請求項４〜９の何れか一項に記載の簡易トイレ。
【請求項１１】
前記便座部、前記台座部、および前記基底部は、それぞれ樹脂部材であることを特徴とする請求項４〜１０の何れか一項に記載の簡易トイレ。
【発明の詳細な説明】
【技術分野】
【０００１】
本発明は、たとえば、大地震、大雨、および洪水などの災害に見舞われた被災地において容易に利用することができる簡易トイレに関する。
【背景技術】
【０００２】
従来より、被災地において使用される組み立て式の簡易トイレが知られている。たとえば、特許文献１には、上部開口の軸線に対して概ね垂直な方項に伸縮可能であり、伸縮方向において互いに対向する位置に配置される第一の側面部と第二の側面部とを備え、さらに、折り線を有する第三および第四の側面部を備える簡易トイレが記載されている。
【先行技術文献】
【特許文献】
【０００３】
【特許文献１】特開２０１５−１３１０５５号公報
【発明の概要】
【発明が解決しようとする課題】
【０００４】
前述の簡易トイレは、該トイレを使用する際などに上部から負荷がかかると、その形状を維持しにくく、場合によっては、重力方向に押し潰されてしまうという問題があった。
さらに、前述の簡易トイレを使用する際には、側面部が邪魔になり足を収め難く、使いにくいという問題もあった。
【０００５】
本発明の目的は、使い易く、使用時に上部から負荷がかかってもその形状を維持し易い簡易トイレを提供することである。
【課題を解決するための手段】
【０００６】
本発明の簡易トイレは、
平面視星型多角形状（但し、該多角形は五角形以上である）の台座部と、
前記台座部の上に配置され、中央に開口部を有する便座部と
を備えることを特徴とする。
このように、平面視星型多角形状の台座部を備えることにより、凹部に足を収めやすく使い勝手がよい。また、台座部の形状を平面視星型多角形状とすることにより、剛性が高くなり、使用者の体重がかかっても座屈などの変形が生じにくくなる。
なお、本発明において、「平面視」とは、簡易トイレを組み立てた状態を便座部側から重力方向に（図１の上方向から）見た場合のことをいう。
【０００７】
本発明の簡易トイレは、
前記便座部が、平面視略円形であることが好ましい。
このように便座部が、平面視略円形であることで、通常使用しているトイレと違和感なく使用者が使用することができる。また、便座部に角がないことで、使用者が該角部において、傷つくことを抑制することもできる。
【０００８】
本発明の簡易トイレは、
前記便座部の裏面には、前記台座部の上端部と嵌合する平面視星型多角形状の便座溝が形成されていることが好ましい。
このように、平面視星型多角形状の便座溝を用い、該便座溝に台座部を嵌合させることにより、台座部に便座部を的確に固定することができ、使用時に上部から負荷がかかってもその形状をより維持し易くなる。
【０００９】
本発明の簡易トイレは、
前記台座部が載置され、上面に基底溝を有する基底部を備え、
前記台座部は、下端部を前記基底溝に嵌合させて前記基底部上に立設されることを特徴とする。
このように、基底部を備え、該基底部上に台座部を立設させることで、使用時に上部から負荷がかかってもその形状をより維持し易くなる。
また、本発明の簡易トイレを使用する際には、通常、その内側に便袋を設置して用を足すが、基底部を備えることで、袋体から便が漏れた場合であっても、該ベンの外部への流出を抑制することができる。
【００１０】
本発明の簡易トイレは、
前記便座部および前記基底部には、折り目が形成され、
前記便座部および前記基底部は、前記折り目に沿って折り畳み可能であることが好ましい。
これにより、保存時や持ち運び時などの未使用時の状態をコンパクトにすることができ、保存、持ち運びが容易になる。
【００１１】
本発明の簡易トイレは、
前記台座部は、折曲線で所定の角度に折り曲げられた複数の折板を組み合わせて形成されることが好ましい。
これにより、平面視星型多角形状の台座部を容易に形成することができ、使用時に上部から負荷がかかってもその形状をより維持し易くなる。
【００１２】
本発明の簡易トイレは、
前記折板は、前記折曲線を折ることによって折り畳み可能であることが好ましい。
これにより、保存時や持ち運び時などの未使用時の状態をコンパクトにすることができ、保存、持ち運びが容易になる。
【００１３】
本発明の簡易トイレは、
前記便座部に形成された前記開口部の縁部は、面取りされていることが好ましい。
これにより、使用者が便座に着座した際に、違和感を生じさせることなく、また、臀部や太腿が傷付かないようにすることができる。
【００１４】
本発明の簡易トイレは、
前記便座部を折り畳む際の前記折り目には、面取りされていることが好ましい。
これにより、使用者が便座に着座した際に、違和感を生じさせることなく、また、臀部や太腿が折り目に挟まらないようにすることができる。
【００１５】
本発明の簡易トイレは、
前記便座部、前記台座部、および前記基底部それぞれを折り畳んだ状態が、平面視略長方形状であることが好ましい。
これにより、保存時や持ち運び時などの未使用時の状態をコンパクトにすることができ、保存、持ち運びが容易になる。
【００１６】
本発明の簡易トイレは、
前記便座部、前記台座部、および前記基底部は、それぞれ樹脂部材であることが好ましい。
このように、各部を樹脂部材であることにより、軽量であり、便や雨などにより、脆弱になりにくく、強度を高くすることができ、また、抗菌性なども付与することができ、再利用可能とすることができる。さらに、長期間保存しても、劣化しにくい簡易トイレとすることができる。
【発明の効果】
【００１７】
本発明によれば、使い易く、軽量で強度が高く形状保持性に優れ、保存時や持ち運び時などの未使用時の状態をコンパクトにすることができ、保存、持ち運びが容易で組み立てやすい簡易トイレを提供することができる。
【図面の簡単な説明】
【００１８】
【図１】実施の形態に係る簡易トイレを上方から視た概略斜視図である。
【図２】実施の形態に係る簡易トイレの便座部を裏面側から視た概略斜視図である。
【図３】実施の形態に係る簡易トイレの台座部を上方から視た概略斜視図である。
【図４】実施の形態に係る簡易トイレの台座部を構成する折板の一つを示す概略図である。
【発明を実施するための形態】
【００１９】
以下、図面を参照して、本発明の実施の形態に係る簡易トイレについて説明する。図１は、実施の形態に係る簡易トイレ２を上方から視た斜視図である。図１に示すように、簡易トイレ２は、便座部４、台座部６、基底部８から構成されている。
【００２０】
便座部４は、平面視略円形状に形成された部材であり、中央に略卵型の開口部１０を備えている。また、便座部４は、右側部４ａ、中央部４ｂ、左側部４ｃの３部から成り、右側部４ａと中央部４ｂの間、および中央部４ｂと左側部４ｃの間には、それぞれ折り目５、７が形成されている。このため、便座部４は、折り目５、７を介して３つに折り畳むことが可能である。なお、この便座部４の表面側においては、開口部１０の縁部、折り目５、７の縁部には面取りがなされている。かかる面取り形成することにより、便座部４に使用者が着座した時に、違和感を生じさせることなく、また、開口部１０の縁部で太腿や臀部が傷付いたり、太腿や臀部の肉が折り目５、７に挟まるなどして怪我をすることを防止することができる。
【００２１】
図１の便座部４は平面視略円形状であるが、略円形状には、楕円形状や一部の辺が直線である形状も含まれ、通常使用しているトイレの便座形状と同様の形状であることが好ましい。
【００２２】
図１では、便座部４を３つに折り畳む態様としたが、２つ折りまたは４つ折り以上としてもよいが、折り目部分が使用者に違和感を感じさせ得る箇所となることや、便座部４の強度を考慮すると、折り目は少ない方が好ましい。
また、便座部４は、折り畳んだ状態の横の長さ（例えば図１における折り目５と７との間の長さ）が、下記台座部を構成する折板１４の横の長さ（例えば図４における第１折曲線１４ｆと第２折曲線１４ｇとの間の長さ）と同程度になるように平面視略長方形状に折り畳み可能である態様が好ましい。このような構成にすることで、保存、持ち運び時の折り畳んだ形状を略直方体とすることができるため、保存、持ち運びがより容易になる。
【００２３】
便座部４は、組み立てる前の状態から、開口部１０を有していてもよいが、簡易トイレの製造が容易となる等の点から、便座部４は、保存時や持ち運び時などの未使用時の状態では、開口部１０を有していないことが好ましい。この場合、便座部４は、開口部１０を容易に形成できるよう、開口部１０となる部分を打ち抜き可能な構成、例えば、ミシン目などで切り抜きやすくしておくことが好ましい。このような構成にしておくことで、未使用時の状態における便座部４と基底部８とを同じ部材とすることができ、簡易トイレの製造が容易となる。この場合、使用時に、一方、つまり便座部４となる部材のみに対し、開口部１０を形成すればよい。
【００２４】
図２は、この便座部４を裏面側から視た斜視図である。図２に示すように、便座部４の裏面には、平面視略六芒星型の便座溝１２が形成されている。なお、右側部４ａと左側部４ｃは、折り畳んだ際に便座部４の裏面側に折り畳まれることが好ましい。折り畳んだ場合の折り目５、７は、便座部４の裏面側が谷、便座部４の表面側が山となる。
【００２５】
台座部６は、簡易トイレを組み立てた状態において、便座部４を所定の高さ、例えば、使用者が便座部４に着座した時に足が地面に付く程度の高さに保持するための筒体である。この台座部６もまた、図３に示すように、平面視略六芒星型になるように組み立てられており、内部には上下方向に貫通する空間１３が形成されている。便座部４を台座部６に載置した際には、台座部６の上端部６ａが便座部４の便座溝１２に嵌合される。
【００２６】
また、台座部６は、筒体の壁面を構成する６個の折板１４を組み合わせて形成されている。図４は、台座部６を構成する折板１４の一つを示す図である。折板１４は、折り曲げが可能なように成形した板状部材であり、図４に示すように、第１壁面部１４ａ、第２壁面部１４ｂ、袖壁部１４ｃ、および突出部１４ｄを備えている。ここで、第１壁面部１４ａと第２壁面部１４ｂは同等の形状および寸法を有する矩形状の板材であり、両者は第１折曲線１４ｆで折り曲げられて短辺方向に連接されている。なお、第１壁面部１４ａと第２壁面部１４ｂとは、第１折曲線１４ｆにおいて、空間１３側とは反対側の角度が、例えば１３０°〜１５０°の角度で交差している。また、この第１折曲線１４ｆは、台座部６が組み上がった状態において、空間１３側に折れ曲がる（図１、３参照）。さらに、この折板１４は、第１折曲線１４ｆと後述する第２折曲線１４ｇを折り曲げることにより、平面視長方形状の平板状に折り畳むことができる。
【００２７】
袖壁部１４ｃは、短辺方向の幅が狭い長尺状の板である。第２壁面部１４ｂと袖壁部１４ｃは、第２折曲線１４ｇで折り曲げられて短辺方向に連接されている。なお、第２壁面部１４ｂと袖壁部１４ｃは、第２折曲線１４ｇにおいて、空間１３側の角度が、例えば１２０°〜１４０°の角度で交差している。
第２折曲線１４ｇは、台座部６が組み上がった状態において、空間１３側と反対側（外側）に折れ曲がる。また、袖壁部１４ｃには、長辺方向に所定の間隔で孔部１５が形成されている。
【００２８】
突出部１４ｄは、第１壁面部１４ａから第２壁面部１４ｂと反対方向に突出した部分であり、突起１４ｈが形成されている。この突起１４ｈは、台座部６が組み上がった状態において、空間１３側に向けて孔部１５に挿入される。
【００２９】
基底部８は、平面視円形状に形成された便座部４と略同じサイズの部材であり、上面には、便座部４と同様に平面視略六芒星型の基底溝１６が形成されている（図１参照）。台座部６を基底部８に載置した際には、台座部６の下端部６ｂが基底部８の基底溝１６に嵌合される。また、基底部８も便座部４と同様に、右側部８ａ、中央部８ｂ、左側部８ｃの３部からなり、右側部８ａと中央部８ｂの間、および中央部８ｂと左側部８ｃの間に、それぞれ折り目９、１１が形成されている。
【００３０】
次に、被災地等において実際に実施の形態に係る簡易トイレ２を使用する場合の手順について説明する。まず、被災地等において、簡易トイレ２を組み立て可能な略直方体状の簡易トイレセットが被災者等に配布される。簡易トイレセットは、折り畳まれた便座部、複数の折板、および基底部からなり、場合によっては、これらが収納ケースに収容されていてもよい。該簡易トイレセットは、持ち運びが容易なように、略直方体状の形状を有しているため、保管、収納しやすく、大量に保管しても、保管場所は省スペースですむ。
【００３１】
そして、使用者は、折り畳まれている基底部８を広げ、基底溝１６のある側を上にして所定の場所に載置する。次に、折り畳まれた折板１４をそれぞれ開き、該折板１４を基底部８の基底溝１６に嵌合させ、基底部８上に台座部６を立設させる。その後、一の折板１４の突起１４ｈを他の折板１４の孔部１５に挿入し折板１４同士を繋げる。これを繰り返すことにより、６個の折板１４が環状に繋がれ、台座部６が完成する。
この状態において、台座部６の空間１３に便袋を配置する。なお、便袋は、開口側が台座部６の上端部６ａと便座部４の間に挟まるようにして配置される。便袋には、市販されているビニール袋を用いることができるし、凝固剤や消臭剤などが含まれる市販の便袋を用いてもよい。次に、使用者は、折り畳まれている便座部４を広げ、開口部１０を形成した後、便座溝１２のある側を下にして便座部４を台座部６上に覆い被せる。この際、台座部６の上端部６ａを便座部４の便座溝１２に嵌合させる。
以上の手順により、簡易トイレ２の組み立てが完了し、被災地における被災者は簡易トイレ２を利用することが可能となる。
なお、基底部８と折板１４との嵌合は、複数の折板１４同士を繋げた後行ってもよく、先に便座部４と折板１４または台座部６とを嵌合してもよく、図１のような簡易トイレを組み立てることができれば、前述の手順の順番は特に制限されない。
【００３２】
この実施の形態に係る発明によれば、平面視略六芒星型でかつ複数の折板１４にばらすことのできる台座部６を備えることにより、持ち運びが容易で組み立てやすい簡易トイレとなる。また、台座部６は凹凸の多い形状を有しているため、第１折曲線１４ｆの位置などの凹部に足を収めやすく使い勝手が良い。
【００３３】
また、台座部６の形状を平面視略六芒星型とすることにより、剛性が高くなり、使用者の体重が掛かっても座屈などの変形が生じにくくすることができる。
また、便座部４、基底部８が折り畳み可能なため、未使用時における簡易トイレ２をコンパクトにすることができ、持ち運びが容易になる。また、折板１４も折り畳み可能とすることにより、さらに、未使用時における簡易トイレ２をコンパクトにすることができる。
【００３４】
なお、前述の実施の形態において、基底部８を用いなくてもよく、基底部８に便座部４と同様の開口部を設けてもよい。この場合、地面に設けられた汚水管（溝）の上などの所定の場所に簡易トイレを載置することにより、便袋を用いずに、便をそのまま汚水管（溝）に流すこともできる。
【００３５】
また、前述の実施の形態においては、便座部４が、右側部４ａ、中央部４ｂ、および左側部４ｃの各パーツに分断されていない場合を例に説明しているが、便座部４は、各パーツに分断されていてもよい。この場合、折り目５、７において、ヒンジなどで各パーツが折り曲げ可能に繋がれていてもよい。基底部８についても同様である。
【００３６】
また、前述の実施の形態においては、台座部６の形状を平面視略六芒星型である場合を例に説明しているが、台座部６の形状は、平面視星型多角形状であれば、平面視略六芒星型に限定されない。たとえば、平面視略五芒星型であってもよい。台座部６の形状が平面視星型五角形状の場合、折板１４は５枚用いることが好ましく、平面視星型六角形状の場合、折板１４は６枚用いることが好ましい。つまり、台座部６の形状が平面視星型ｎ角形状の場合、折板１４はｎ枚用いることが好ましい。
なお、前記平面視星型多角形状における頂点部分は、鋭角的に尖っていてもよいが、使用者を傷つけにくく、高強度の簡易トイレを容易に得ることができる等の点から、図３に示すように、平面視星型多角形状における頂点部分が尖っていないことが好ましい。本発明では、このように該頂点部分が尖っていない場合も平面視星型多角形状という。
【００３７】
なお、前述の実施の形態においては、折板１４同士を容易に繋げることができる等の点から、折板１４同士を突出部１４ｄと孔部１５を用いて繋げたが、折板１４同士を繋げる方法としてはこれに限定されず、従来公知の方法を用いることができる。従って、折板１４には、袖壁部１４ｃ、突出部１４ｄ、第２折曲線１４ｇ、突起１４ｈおよび／または孔部１５が存在していなくてもよい。
【００３８】
軽量で、強度の高い簡易トイレを容易に得ることができる等の点から、前述の実施の形態において、前記便座部４、前記台座部６、および前記基底部８は、それぞれ樹脂部材であることが好ましい。
該樹脂部材は、樹脂を含めば特に制限されない。該樹脂としては、撥水性の樹脂が好ましい。さらに、折り曲げ時に、折り目部分で分離しにくい折り曲げ可能な板状体を容易に得ることができる等の点から、前記樹脂としては、ポリプロピレンが好ましい。中でも特にブロックポリプロピレンが好ましい。
【００３９】
また、前記樹脂部材は、より強度に優れる簡易トイレを得ることができる等の点から、タルクを、樹脂１００質量部に対し、１０〜８０質量部、より好ましくは３０〜７０質量部含むことが好ましい。
さらに、前記樹脂部材は、硫酸バリウムなどの添加剤を含んでいてもよく、銀系化合物や貝殻焼成水和物などの抗菌剤などを含んでいることが好ましい。
なお、添加剤としては、タルク、マイカ、ガラスファイバー、炭酸カルシウムなどを含んでいてもよい。
【００４０】
また、前記便座部４、前記台座部６、および前記基底部８を樹脂部材とする場合、便座部４と基底部８は同じ金型を用いて製造でき、各折板１４は、一つの金型を用いて製造可能であるため、用意する金型を少なくすることができ、容易に安価に簡易トイレを製造することができる。
【符号の説明】
【００４１】
２     簡易トイレ
４     便座部
４ａ   右側部
４ｂ   中央部
４ｃ   左側部
５     折り目
６     台座部
６ａ   上端部
６ｂ   下端部
７     折り目
８     基底部
８ａ   右側部
８ｂ   中央部
８ｃ   左側部
９     折り目
１０   開口部
１１   折り目
１２   便座溝
１２   便座溝
１３   空間
１４   折板
１４ａ 第１壁面部
１４ｂ 第２壁面部
１４ｃ 袖壁部
１４ｄ 突出部
１４ｆ 第１折曲線
１４ｇ 第２折曲線
１４ｈ 突起
１５   孔部
１６   基底溝
【図１】
2020043889.tif 000003
【図２】
2020043889.tif 000004
【図３】
2020043889.tif 000005
【図４】
2020043889.tif 000006